(57)【特許請求の範囲】
【請求項１】
平板状のフック掛け（１２）を挟持するリング（１５）からなるランナー（１１）と、前記ランナーに脱着可能に装着されるマグネットケース（２０）と、前記マグネットケースに収容されたマグネット（１７）とからなるマグネットリングランナーであって、前記マグネットケースは弾性を有する合成樹脂成形品であり、一側面が開口する箱状の本体（２１）と、前記本体の上面から突出する逆Ｕ字状のフック部（２２）と、前記本体の他側面に形成されたつかみ部（２３）とからなり、前記フック部は前記リングの横断面直径よりも開口幅が狭い入口部（２４）と前記リングの横断面にぴったりはまる嵌合部（２５）を有し、前記つかみ部は前記フック掛け（１２）がはまるつかみ溝（２７）を有し、前記フック掛けの前記リングに挟持された上円形部（１３）は前記リングの横断面よりも直径の大きな円形であり、前記フック部（２２）の入口部（２４）を除く部分はスリット（２６）によって前後に分離され、前記スリットには前記上円形部がはまることを特徴とするマグネットリングランナー。
【発明の詳細な説明】
【０００１】
【発明の属する技術分野】
本発明はマグネットリングランナーに関する。
【０００２】
【従来の技術】
従来のマグネットリングランナーは、マグネット内蔵リングランナーであり、リングから垂下するフック掛けに箱体が一体に設けられ、その箱体の中にマグネットが収容されていた。したがって、マグネット内蔵リングランナーは一般のリングランナーとは同一ではなかった。
【０００３】
【発明が解決しようとする課題】
リングランナーは、マグネット内蔵リングランナーを含め、カーテンポールにその端部から外嵌されるので、マグネット内蔵リングランナーと一般のリングランナーの順序の修正、マグネット内蔵リングランナーの追加又は撤去は、一部のリングランナーをカーテンポールから外す必要があるため、厄介な作業であった。
【０００４】
本発明はこの問題を解決するためになされたものであり、その目的とするところは、リングランナー列内におけるマグネットリングランナーの順序位置の変更、追加又は撤去の作業をリングランナーをカーテンロッドから外さずに実施できるようにすることにある。
【０００５】
【課題を解決するための手段】
前記目的を達成するため、本発明が採用する手段は、リングランナーにマグネットケースを着脱可能に付設し、そのマグネットケースにマグネットを収容したことにある。
マグネットケースは弾性を有する合成樹脂成形品とし、一側面が開口した角形箱状の本体と、その本体の上面から突出する逆Ｊ字形のフック部と、本体の他側面に形成した溝を有するつかみ部とから構成する。本体には２枚のヨークとその間に挟持したマグネットを収容する。フック部には先端部を除いてスリットを設けて前後に分離する。マグネットケースのフック部をリングランナーに掛けると、リングランナーのフック掛けの上部がそのスリットにはまり、下部がはめ込み部のはめ込み溝にはまる。フック部の入口幅はリングランナーのリング横断面の外径より少し小さくし、フック部をリングランナーのリングに着脱するとき、フック部が弾性的に拡大するようにする。
【０００６】
これらにより、マグネットケースはリングランナーに装着することが可能であり、装着したマグネットケースは姿勢が安定するから、従来のマグネット内蔵リングランナーと同等の役目を果たす。又、装着したマグネットケースはフック部を弾性的に拡大するとリングランナーから外すことができる。したがって、カーテンポールにはめたリングランナー列内におけるマグネットリングランナーの順序変更、追加、撤去はリングランナーをカーテンポールから外さずに実施することができる。
【０００７】
【発明の実施の形態】
本発明の実施の態様を図１及び図２に示す実施例により説明する。
カーテンポール１０の中央にくる２つのランナー１１のそれぞれのフック掛け１２に図外の左右のカーテンの上縁端部に取り付けたフックを掛ける。フック掛け１２の上円形部１３はリング１５に挟持され、下円形部１４はフック孔１６を有する。上円形部１３は挟持するリング１５の円形横断面と同心であるが、直径はリング１５の横断面より少し大きい。２つのランナー１１にはマグネットケース２０が対称に装着される。マグネットケース２０は一側面が開口する箱状の本体２１と、上面から延長してリング１５に掛け止めされる逆Ｊ字状のフック部２２と、本体２１の他側面に設けられてフック掛け１２の下円形部１４がはまるつかみ部２３とからなる。本体２１の内部にはマグネット１７と、それを挟持するヨーク１８が収容され、ピン１９によって脱落を防止する。フック部２２はリング１５の横断面直径よりも狭い入口部２４とリング１５の横断面直径と同じ内径の嵌合部２５と、先端以外の部分を分離するスリット２６とを有する。このスリット２６の幅はフック掛け１２の厚さよりも広い。つかみ部２３は平行な２つの突起であり、その間につかみ溝２７を形成する。マグネットケース２０は弾性に富む合成樹脂成形品であり、入口部２４の開口幅をリング１５の横断面の直径より弾性的に大きくすることによりリング１５に脱着する。又、逆Ｊ字状のフック部２２の入口部２４の開口と嵌合部２５の内径を弾性的にフック掛け１２の上円形部１３の直径よりも大きくすることにより、マグネットケース２０をフック掛け１２にはめることも外すことも可能である。したがって、マグネットケース２０はカーテンポール１０からランナー１１を外さずに脱着することができる。
【０００８】
【実施例】
本発明の一実施例のマグネットケースを図３の断面図に基づいて説明する。マグネットケース２０の本体２１の前後面に、マグネットとヨークに通したピンの両端をはめるピン穴２８をあける。フック部２２のスリット２６は本体２１の上面から先端側入口部２４まで延長する。本体２１の他側面に形成したつかみ部２３のつかみ溝２７は底が抜け本体２１の内部と連通する。逆Ｊ字状フック部２２はスリット２６によって根元側入口部２４と嵌合部２５が前後に分離するから、ねじるように開くと、比較的容易に弾性変形し、入口部２４の開口幅と嵌合部２５の内径をフック掛けの上円形部の直径よりも大きくすることができる。
【０００９】
図４に示すように、カーテンポール１８にはめたリング１５に対してマグネット２０を水平にして矢印方向に移動させると、マグネットケース２０のフック部２２をリング１５に容易にはめることも外すこともできる。
図５に示すように、リング１５にはめた後に、マグネットケース２０のフック部２２をフック掛け１２の上円形部１３に上から斜めにこぜるように引っかけ、矢印で示すように、本体２１を斜め下方に引くと、フック部２２がねじれて開口幅が拡大しスリット２６に上円形部１３がはまる。それから、図２に示すように、下円形部２４をつかみ部２３のつかみ溝２７にはめると、マグネットケース２０のリングランナー１１への装着が完了し、マグネットリングランナーとなる。
【００１０】
【発明の効果】
上記のとおり、本発明のマグネットリングランナーは、一般のリングとフック掛けからなるランナーにマグネットケースを脱着自在に装着したものであるから、従来のマグネット内蔵リングランナーとは異なり、カーテンポールにはめたランナーにマグネットケースを装着することにより、又は装着したマグネットケースを外すことにより、ランナー列内のマグネットリングランナーの順序位置を、ランナーをカーテンポールにはめたままで変更することができるという優れた効果を奏する。
【図面の簡単な説明】
【図１】は本発明の一実施例のマグネットリングランナーの正面図、
【図２】は図１のマグネットリングランナーの側面図、
【図３】は図１のマグネットケースの拡大縦断面図、
【図４】はカーテンポールにはめたランナーのリングにマグネットケースを脱着する工程を示す図、
【図５】はランナーのフック掛けにマグネットケースを脱着する工程を示す図、
【符号の説明】
１０：カーテンポール
１１：ランナー
１２：フック掛け
１３：上円形部
１４：下円形部
１５：リング
１６：フック孔
１７：マグネット
１８：ヨーク
１９：ピン
２０：マグネットケース
２１：本体
２２：フック部
２３：つかみ部
２４：入口部
２５：嵌合部
２６：スリット
２７：つかみ溝
２８：ピン穴
【図１】
0003620676.tif 000002
【図２】
0003620676.tif 000003
【図３】
0003620676.tif 000004
【図４】
0003620676.tif 000005
【図５】
0003620676.tif 000006